(57)【要約】【課題】スパウトの内部などに残った内容物を取り出すことが可能であり、かつ、手により容器本体の上部を容易に引き裂くことができる容器を提供する。【解決手段】内容物が収容され可撓性を有する容器本体２の上部に、内容物を出すスパウト１０が取り付けられた容器１であって、容器本体２を引き裂くための引き裂き用開封部１５が、容器本体２の上部の側辺部２ｂ、２ｃに設けられ、前記引き裂き用開封部１５は、容器本体２におけるスパウト取付部１１に起因して厚み方向に膨らむ膨出部５ｆよりも下方の位置に設けられている。【選択図】図４
2018016368.tif 000002
【特許請求の範囲】
【請求項１】
内容物が収容され可撓性を有する容器本体の上部に、内容物を出すスパウトが取り付けられた容器であって、
容器本体を引き裂くための引き裂き用開封部が、容器本体の上部の側辺部に設けられ、
前記引き裂き用開封部は、容器本体におけるスパウトの取付部に起因して厚み方向に膨らむ膨出部よりも下方の位置に設けられていることを特徴とする容器。
【請求項２】
引き裂き用開封部は、横方向に延びる複数の切れ込み線であることを特徴とする請求項１に記載の容器。
【請求項３】
引き裂き用開封部が、容器本体の側辺部において、外周面から離れた孔形状であることを特徴とする請求項１に記載の容器。
【請求項４】
引き裂き用開封部が、容器本体の側辺部において、外周面に近い箇所で鋭角形状であり、外周面に遠い箇所では円弧形状であることを特徴とする請求項３に記載の容器。
【請求項５】
容器本体がパウチであることを特徴とする請求項１〜４の何れか１項に記載の容器。
【発明の詳細な説明】
【技術分野】
【０００１】
本発明は、スパウトパウチなどの、可撓性を有する容器本体内に内容物が収容されている容器に関するものである。
【背景技術】
【０００２】
柔軟性シートなどからなる容器本体に液体や半固体状の流体などの内容物を収容し、容器本体の上部に、前記内容物を出すスパウト（注出口部）が取り付けられた容器（注ぎ口付包装容器やパウチ容器とも称せられる）は、既に広く知られている。
【０００３】
例えば、特許文献１には、図１０に示すように、内容物を注ぎ出すための筒状の注出口を有するスパウト５１と、スパウト５１が上辺部５２ａに取り付けられ、可撓性を有する容器本体５２と、を備えた容器５０が開示されている。容器５０は、内容物を少量ずつ取り出す場合に、スパウト５１のキャップ５３を開けて注出口から注出できるよう構成されている。また、この容器５０の容器本体５２には、側辺部（図１０に示す容器５０おいては一方の側辺部）５２ｂの上端部に引き裂き用開封部（切り欠き）５４が設けられ、引き裂き用開封部５４から容器本体５２の上辺部５２ａの直下部を横方向に切断（引き裂き）可能に構成されている。さらに、この容器５０の容器本体５２では、図１１に示すように、引き裂き用開封部５４を用いるなどして容器本体５２の上辺部の直下部を切断した（引き裂いた）後に容器本体５２の上辺部５２ａの直下部を挟んで容器本体５２を密封可能なクリップ（密閉手段）５５が設けられている。
【０００４】
この容器５０によれば、容器本体５２に側辺部５２ｂの上端部に引き裂き用開封部５４が設けられているため、引き裂き用開封部５４を用いて手などにより、容器本体５２における側辺部５２ｂの上端部を切断することができる。
【０００５】
したがって、特許文献１にて記載されている目的とは異なるが、スパウト５１を通して内容物を取り出して内容物をほぼ使い終えた状態でも、スパウト５１の内部や容器本体５２の内部（特に、スパウト５１が取り付けられている箇所の近傍）には内容物が残るため、この箇所の内容物も使いきるべく、容器本体５２における側辺部５２ｂの上端部を切断して、スパウト５１の内部などに残った内容物を取り出すことが可能となる。
【先行技術文献】
【特許文献】
【０００６】
【特許文献１】特開２００３−１３７３１５公報
【発明の概要】
【発明が解決しようとする課題】
【０００７】
ところで、上記特許文献１の構造によれば、切込み部５４を設けているため、切込み部が無い場合と比較すると手で切断し易くなる利点がある。しかしながら、容器本体５２におけるスパウト５１を装着している箇所は、１０ｍｍ前後の厚みがあり、厚み方向に膨らんでいるので、図１２に示すように、手で切断している際に厚みがある箇所に到達した時点で、切断する際の力が切断したい横方向に作用し難くなり、その結果、手で切断できずに鋏などを用いざるを得なくなるなど、不便となることが多かった。
【０００８】
本発明は上記課題を解決するもので、スパウトの内部などに残った内容物を取り出すことが可能であり、かつ、手により容器本体の上部を容易に引き裂く（切断する）ことができる容器を提供することを目的とするものである。
【課題を解決するための手段】
【０００９】
上記課題を解決するために、本発明は、内容物が収容され可撓性を有する容器本体の上部に、内容物を出すスパウトが取り付けられた容器であって、容器本体を引き裂くための引き裂き用開封部が、容器本体の上部の側辺部に設けられ、前記引き裂き用開封部は、容器本体におけるスパウトの取付部に起因して厚み方向に膨らむ膨出部よりも下方の位置に設けられていることを特徴とする。
【００１０】
この構成によれば、引き裂き用開封部が、容器本体の上部に設けられていながら、容器本体におけるスパウトの取付部に起因して厚み方向に膨らむ膨出部よりも下方の位置に設けられているので、内容物を使用して残り少ない状態では、引き裂き用開封部を利用して容器本体を手で切断する際に、スパウトの取付部に起因する容器本体の厚み方向の膨らみの影響を受けず、容器本体の上部を容易かつ良好に引き裂いて切断することができる。
【００１１】
なお、引き裂き用開封部は、横方向に延びる複数の切れ込み線であると好適であるが、これに限るものでなく、引き裂き用開封部が、外周面から離れた孔形状であってもよく、この場合に、さらに、引き裂き用開封部が、引き裂き用開封部が、容器本体の側辺部において、外周面に近い箇所で鋭角形状であり、外周面に遠い箇所では円弧形状であってもよい。
【発明の効果】
【００１２】
本発明によれば、引き裂き用開封部を、容器本体の上部に設けるとともに容器本体におけるスパウトの取付部に起因して厚み方向に膨らむ膨出部よりも下方の位置に設けることにより、引き裂き用開封部を利用して容器本体を手で切断する際に、スパウトの取付部に起因する容器本体の厚み方向の膨らみの影響を受けず、容器本体の上部を容易かつ良好に引き裂いて切断することができる。したがって、容器本体を、鋏などを用いることなく、手で容易かつ良好に切断することができて便利である。
【００１３】
また、引き裂き用開封部が容器本体の上部（より詳しくは、容器本体の上部の側辺部）に設けられているため、引き裂き用開封部を用いて引き裂いた後に、スパウトの内部や容器本体のスパウト取付部近傍箇所に残った内容物を近くから取り出すことができ、内容物を殆ど残すことなく良好に使い切ることができる。
【００１４】
また、引き裂き用開封部として、横方向に延びる複数の切れ込み線であると、引き裂く際に、側辺部の引き裂き用開封部が設けられている領域を上下に変形させ易くなり、より容易に手で引き裂く（切断する）ことができて便利である。
【００１５】
また、引き裂き用開封部が、外周面から離れた孔形状であってもよく、この場合に、さらに、引き裂き用開封部が、容器本体の側辺部において、外周面に近い箇所で鋭角形状であり、外周面に遠い箇所では円弧形状であってもよい。すなわち、引き裂き用開封部が、外周面から離れた孔形状であることや、外周面に遠い箇所では円弧形状であることにより、この容器を使用している際に、容器本体を意図せずに引き裂き用開封部から引き裂いて切断することを最小限に抑えることができ、信頼性が向上する。一方で、引き裂き用開封部の孔部における外側には鋭角形状部が形成されているので、意図的に、引き裂き用開封部の鋭角形状部から外側に引き裂くことで、容器本体２の外周部に続くように切断できて、便利である。
【図面の簡単な説明】
【００１６】
【図１】本発明の実施の形態に係る容器の正面図である。
【図２】同容器の斜視図であり、容器本体に多量の内容物がある状態を示す。
【図３】同容器のスパウトの底面図である。
【図４】同容器の斜視図であり、容器本体の内容物が残り少ない状態を示す。
【図５】同容器の正面図で、引き裂き用開封部で容器本体を引き裂いた状態を示す。
【図６】本発明の他の実施の形態に係る容器の正面図である。
【図７】同容器の要部拡大正面図である。
【図８】同容器の要部拡大正面図であり、引き裂き用開封部を用いて容器本体を引き裂き始めた状態を示す。
【図９】同容器の要部拡大正面図であり、引き裂き用開封部を用いて容器本体を引き裂いた状態を示す。
【図１０】従来の容器の斜視図である。
【図１１】同従来の容器の斜視図で、引き裂き用開封部を用いて容器本体を引き裂いた（切断した）状態を示す。
【図１２】同従来の容器の斜視図で、引き裂き用開封部を用いて容器本体を引き裂き途中の状態を示す。
【発明を実施するための形態】
【００１７】
以下、本発明の実施の形態に係る容器を図面に基づき説明する。なお、本実施の形態においては、容器本体がパウチであり、このパウチにスパウトが装着された容器について以下に説明するが、これに限るものではない。
【００１８】
図１〜図３における１は本発明の実施の形態に係る容器、２はスパウト（注出口部）１０が装着されている容器本体で、容器本体２内（内容物収容空間２ｇ）には、半固体状や泥状、液状などの内容物が収容される。容器本体２は、例えば合成樹脂などからなりそれぞれ可撓性を有する表裏２枚のフレキシブルシートと底面の１枚のフレキシブルシートとの互いの周囲を熱溶着するなどして形成された（シールされた）パウチで構成され、正面視して矩形状（略矩形形状）とされている。
【００１９】
容器本体２には、上部（詳しくは上辺部２ａの中央）に、スパウト１０が２枚のフレキシブルシートにより挟持された状態で熱溶着されている。すなわち、容器本体２は、それぞれシールされた左側辺部２ｂ、右側辺部２ｃ、上辺部２ａ、底辺部２ｄを有しており、容器本体２の下部における下端部寄り箇所は、底面２ｅのフレキシブルシートにより厚み方向に大きく膨らみ可能な二重構造とされている。
【００２０】
図１、図２に示すように、スパウト１０は、容器本体２に溶着される複数の溶着用リブ１１ａを有するスパウト取付部１１に、筒状体１２が立設された状態で一体形成されており、筒状体１２の軸心方向（すなわち、筒状体１２の内側空間である注出口１３の軸心部）が容器本体２に対して上方に向いた姿勢で上辺部２ａの中央位置に溶着されるなどして取り付けられている。スパウト１０の先端部外周には、キャップ１４が螺合されるねじ面１２ａが形成され、キャップ１４が着脱自在とされている。なお、スパウト取付部１１の幅方向中央部には、注出口１３に連通する連通孔１３ａが形成され、この連通孔１３ａは注出口１３の直径よりも若干大きくて広げられている（図３参照）が、これに限るものではない。
【００２１】
容器本体２の左右の側辺部２ｂ、２ｃに、容器本体２を引き裂く引き裂き用開封部１５が設けられている。この引き裂き用開封部１５は、容器本体２の上部（容器本体２の上下方向の中央位置Ａよりも上方の領域）に設けられている。この実施の形態では、引き裂き用開封部１５は、横方向に点線状に延びる切れ込み線から構成され、上下に複数箇所設けられている。この実施の形態では、容器本体２の左右の側辺部２ｂ、２ｃにおいて、上下に近接して４箇所形成されているが、２箇所あるいは３箇所または５箇所以上など複数箇所が好ましいが、１箇所だけであっても構わない。また、左右の側辺部２ｂ、２ｃの両方に形成されていることが好ましいが、これに限るものではなく、左右の側辺部２ｂ、２ｃの一方のみに形成されていてもよい。
【００２２】
ここで、引き裂き用開封部１５は、容器本体２の上部の側辺部２ｂ、２ｃにおける、スパウト取付部１１による（起因する）容器本体２の厚み方向の膨らみがない上下方向の位置（領域）に設けられている。すなわち、容器１を使用し続けて、容器１内の内容物の残量が少なくなると、容器本体２が厚み方向に薄くなり、最終的には、図４に示すように、スパウト１０の内部および容器本体２のスパウト取付部１１の近傍箇所だけに内容物が残った状態となる。この際、スパウト取付部１１に起因して、容器本体２は、スパウト取付部１１の近傍のみ厚み方向に膨らむ状態となる（膨らんでいる箇所を膨出部２ｆと称する）が、容器本体２の上部の側辺部２ｂ、２ｃにおける、膨出部２ｆの下端部に対応する位置Ｂよりも下方の位置（領域）に、引き裂き用開封部１５が設けられている。
【００２３】
この構成において、上述したように、容器１を使用し続けて、容器１内の内容物の残量が少なくなると、容器本体２が厚み方向に薄くなり、最終的には、図４に示すように、スパウト１０の内部および容器本体２のスパウト取付部１１の近傍箇所だけに内容物が残った状態となる。この場合に、上記構成では、引き裂き用開封部１５が、容器本体２の上部（より詳しくは容器本体２の上部の側辺部２ｂ、２ｃ）に設けられていながら、膨出部２ｆの下端部に対応する上下方向の位置Ｂよりも下方の位置（領域）、すなわち、スパウト取付部１１による容器本体２の厚み方向の膨らみがない上下方向の位置（領域）に設けられている。したがって、内容物をほぼ使い切って容器本体２のスパウト取付部１１近傍しか残っていない状態では、引き裂き用開封部１５を利用して容器本体２を手で引き裂く（切断する）際に、スパウト取付部１１に起因する容器本体２の厚み方向の膨らみの影響を受けず、図５に示すように、容器本体２の上部を容易かつ良好に横方向に直線状に引き裂いて切断することができる。このように、鋏などを用いなくても、容器本体２の上部を容易かつ良好に引き裂いて切断できて、便利である。
【００２４】
また、引き裂き用開封部１５が容器本体２の上部（より詳しくは、容器本体２の上部の側辺部２ｂ、２ｃ）に設けられているため、引き裂き用開封部１５を用いて引き裂いた後に、スパウト１０の内部や容器本体５２のスパウト取付部１１近傍箇所に残った内容物を近くから取り出すことができ、内容物を殆ど残すことなく良好に使い切ることができる。なお、引き裂き用開封部１５は、容器本体２の上部を引き裂く際に、容器本体２の膨出部２ｆの膨らみに影響を受けない範囲でできるだけ上方に設けるとより好適であり、この場合には、残った内容物をより便利に（内容物が手に付着し難い状態で）取り出すことができる利点がある。
【００２５】
また、引き裂き用開封部１５が、上記のように、横方向に延びる複数の切れ込み線であると、切れ込み線が１つだけである場合と比較して、引き裂く際に、側辺部２ｂ、２ｃの引き裂き用開封部１５が設けられている領域を上下に変形させ易くなり、より容易に手で引き裂く（切断する）ことができて便利である。なお、このような引き裂き用開封部１５の構成（形状）は、容器本体２が引き裂き難い材質で形成されている場合に適している。なお、引き裂き用開封部１５を鋭角なＶ字形状溝で形成してもよい。
【００２６】
また、引き裂き用開封部２０として、上記のように切れ込み線で構成する場合に代えて、図６、図７に示すように、容器本体２の側辺部２ｂ、２ｃにおいて、外周面から離れた孔形状であってもよい（他の実施の形態）。さらに、引き裂き用開封部２０が、外周面から離れた孔形状であり、かつ、容器本体２の側辺部２ｂ、２ｃにおいて、外周面に近い箇所で鋭角形状であり、外周面に遠い箇所では円弧形状であってもよい。なお、図６、図７において、２０ａは外周面に近い箇所に形成された鋭角形状部、２０ｂは外周面に遠い箇所に形成された円弧形状部である。なお、上記実施の形態と同様に、引き裂き用開封部２０は、容器本体２の上部の側辺部２ｂ、２ｃに設けられ、容器本体２におけるスパウト取付部１１に起因して厚み方向に膨らむ膨出部２ｆよりも下方の位置に設けられている。
【００２７】
上記構成において、内容物をほぼ使い切って容器本体２のスパウト取付部１１近傍にしか内容物が残っていない状態で、引き裂き用開封部２０を用いて容器本体２を引き裂く際には、図８に示すように、まず、引き裂き用開封部２０の孔部における外側の鋭角形状部２０ａを用いて、容器本体２を外側に引き裂き、引き裂き用開封部２０が容器本体２の外周面に続くように開放させる。この後、図９に示すように、外周面に続いた引き裂き部分を手で持ちながら、引き裂き用開封部２０の円弧形状部２０ｂやその近傍箇所から横方向に容器本体２を引き裂く。この場合も、引き裂き用開封部２０が、容器本体２におけるスパウト取付部１１に起因して厚み方向に膨らむ膨出部２ｆよりも下方の位置に設けられているので、スパウト取付部１１に起因する容器本体２の厚み方向の膨らみの影響を受けずに、容器本体２の上部を容易かつ良好に横方向に直線状に引き裂いて切断することができる。
【００２８】
また、引き裂き用開封部２０が、外周面から離れた孔形状であることや、外周面に遠い箇所、すなわち内容物収容空間２ｇに近い箇所では円弧形状であることにより、この状態で容器１の使用中などに、容器本体２の内容物が収納されている箇所を意図せずに引き裂き用開封部２０から引き裂いて切断することを最小限に抑えることができ、信頼性が向上する。
【００２９】
一方で、引き裂き用開封部２０の孔部における外側には鋭角形状部２０ａが形成されているので、図８に示すように、意図的に、引き裂き用開封部２０の鋭角形状部２０ａから外側に引き裂くことで、引き裂き用開封部２０から容器本体２の外周部に続くように比較的容易に切断でき、例えば、引き裂き用開封部が単純な円形である場合よりも容易に引き裂くことができて便利である。
【００３０】
なお、この引き裂き用開封部２０も左右の側辺部２ｂ、２ｃに形成すると好適であるが、これに限るものではなく、一方の側辺部２ｂ、２ｃだけに引き裂き用開封部２０を形成してもよい。また、引き裂き用開封部２０における外周面から遠い箇所に、円弧形状部２０ｂに代えて鈍角形状部を形成してもよい。なお、このような引き裂き用開封部２０の構成（形状）は、容器本体２が引き裂かれ易い材質で形成されている場合に適している。
【００３１】
また、上記実施の形態においては、スパウト１０が容器本体２における上辺部２ａの中央に取り付けられている場合を述べたが、これに限るものではなく、スパウト１０が容器本体２の肩部、すなわち容器本体２における上辺部と一方の側辺部とが接続されている角部に取り付けられている容器の場合でも適用可能である。また、上記の実施の形態では、容器本体２がパウチである場合を述べたが、これに限るものではない。
【符号の説明】
【００３２】
１      容器
２      容器本体（パウチ）
２ａ    上辺部
２ｂ    側辺部（左側辺部）
２ｃ    側辺部（右側辺部）
２ｄ    底辺部
２ｇ    内容物収容空間
２ｆ    膨出部
１０    スパウト（注出口部）
１１    スパウト取付部
１２    筒状体
１３    注出口
１４    キャップ
１５、２０    引き裂き用開封部
２０ａ    鋭角形状部
２０ｂ    円弧形状部
【図１】
2018016368.tif 000003
【図２】
2018016368.tif 000004
【図３】
2018016368.tif 000005
【図４】
2018016368.tif 000006
【図５】
2018016368.tif 000007
【図６】
2018016368.tif 000008
【図７】
2018016368.tif 000009
【図８】
2018016368.tif 000010
【図９】
2018016368.tif 000011
【図１０】
2018016368.tif 000012
【図１１】
2018016368.tif 000013
【図１２】
2018016368.tif 000014